(57)【特許請求の範囲】
【請求項１】
携帯端末と精算端末とを備えた販売時点情報管理システムにおいて、
前記携帯端末は
一取引分の商品情報を記憶する商品情報記憶部と、
商品に付された商品情報を読み取る、読み取り部と、
前記商品情報記憶部が記憶する商品情報を登録商品情報として送信する送信部と
を備え、
前記精算端末は、
前記携帯端末から送信された前記登録商品情報を受信する受信部と、
前記受信部が受信した前記登録商品情報を取引毎に記憶する登録商品記憶部と、
表示部としてキーやデータを表示し、入力部としてキー入力を受け付けるタッチパネルと、
前記登録商品記憶部が記憶する前記登録商品情報に対応付けられた、前記携帯端末を識別する携帯端末番号もしくは前記携帯端末を操作する作業者の作業者特定情報を前記タッチパネルに対して一取引毎に表示させ、前記タッチパネルで選択された登録商品情報に基づいて精算処理を行う精算処理部と、
を備え、
前記受信部および前記登録商品記憶部と、前記精算処理部とはお互い並行して動作する
ことを特徴とする販売時点情報管理システム。
【請求項２】
前記商品情報記憶部はさらに、一取引分の商品情報を一意に特定する識別情報を記憶する
ことを特徴とする請求項１に記載の販売時点情報管理システム。
【請求項３】
前記精算処理部はさらに、前記タッチパネルに表示させた登録商品情報の精算処理を保留させ、前記登録商品記憶部より、該登録商品情報とは異なる前記登録商品情報を呼び出し、呼び出した前記登録商品情報を前記タッチパネルに対して表示させ、表示させた前記登録商品情報に基づいて精算処理を行う
ことを特徴とする請求項１または請求項２のいずれか一項に記載の販売時点情報管理システム。
【請求項４】
前記精算処理部は、前記登録商品情報を、前記識別情報毎に画像または文字により表示し
前記入力部は、前記精算処理部が表示した前記登録商品情報の選択を受け付ける
ことを特徴とする請求項２に記載の販売時点情報管理システム。
【請求項５】
前記精算処理部は、精算処理を行った前記登録商品情報の表示形態を変更する
ことを特徴とする請求項１から請求項４のいずれか１項に記載の販売時点情報管理システム。
【請求項６】
前記精算端末は、
前記精算処理部で精算処理を行われた前記登録商品情報について、前記タッチパネルで選択を受け付けるか否か設定する選択設定部と
を更に備えることを特徴とする請求項１から請求項５のいずれか１項に記載の販売時点情報管理システム。
【請求項７】
携帯端末から送信された登録商品情報を受信する受信部と、
前記受信部が受信した前記登録商品情報を記憶する登録商品記憶部と、
表示部としてキーやデータを表示し、入力部としてキー入力を受け付けるタッチパネルと、
前記登録商品記憶部が記憶する前記登録商品情報に対応付けられた、前記携帯端末を識別する携帯端末番号もしくは前記携帯端末を操作する作業者の作業者特定情報を前記タッチパネルに対して一取引毎に表示させ、前記タッチパネルで選択された登録商品情報に基づいて精算処理を行う精算処理部と、
を備え、
前記受信部および前記登録商品記憶部と、前記精算処理部とはお互い並行して動作する
ことを特徴とする精算端末。
【発明の詳細な説明】
【技術分野】
【０００１】
本発明は、携帯端末を用いた販売時点情報管理システムおよび精算端末に関する。
【背景技術】
【０００２】
和菓子、洋菓子、弁当、惣菜の販売店等は、店舗規模が小さく、商品販売のための陳列ケースや用品を載置販売するワゴン等が占有する面積が大きいことが多い。そのため、顧客が購入した商品の会計を行う場所は狭くなるため、上記販売店等では、会計で使用される精算端末（ＰＯＳレジ）は設置占有面積が小さなサイズの機器を使用することが多く、設置台数も一台であることが多い。また、顧客が購入する商品を登録することができる携帯端末を備えた精算端末も知られている（例えば、特許文献１参照）。
【特許文献１】特開昭６３−２４５５９４号公報
【発明の開示】
【発明が解決しようとする課題】
【０００３】
しかしながら、上記店舗において、店員が複数人働いている場合においても、従来の精算端末では、一人の店員が精算端末を使用している間、他の店員は、顧客の注文情報を当該精算端末に登録することができないという問題があった。また、特許文献１に記載の携帯端末を用いた場合においても、一人の店員が精算端末を使用している間、他の店員は、携帯端末に登録した顧客の注文情報を当該精算端末に登録することができないという問題があった。そのため、顧客の注文を効率的に処理することができないという問題もあった。
【０００４】
本発明は、上記の課題を解決するためになされたものであり、一人の操作者が精算端末を使用している間においても、他の操作者が当該精算端末に顧客の注文情報を登録することが可能であり、顧客の注文を効率的に処理することが可能な販売時点情報管理システム（ＰＯＳシステム）および精算端末を提供することを目的とする。
【課題を解決するための手段】
【０００５】
本発明は、携帯端末と精算端末とを備えた販売時点情報管理システムにおいて、前記携帯端末は一取引分の商品情報を記憶する商品情報記憶部と、商品に付された商品情報を読み取る、読み取り部と、前記商品情報記憶部が記憶する商品情報を登録商品情報として送信する送信部とを備え、前記精算端末は、前記携帯端末から送信された前記登録商品情報を受信する受信部と、前記受信部が受信した前記登録商品情報を取引毎に記憶する登録商品記憶部と、表示部としてキーやデータを表示し、入力部としてキー入力を受け付けるタッチパネルと、前記登録商品記憶部が記憶する前記登録商品情報に対応付けられた、前記携帯端末を識別する携帯端末番号もしくは前記携帯端末を操作する作業者の作業者特定情報を前記タッチパネルに対して一取引毎に表示させ、前記タッチパネルで選択された登録商品情報に基づいて精算処理を行う精算処理部と、を備え、前記受信部および前記登録商品記憶部と、前記精算処理部とはお互い並行して動作することを特徴とする販売時点情報管理システムである。
【０００６】
また、本発明の販売時点情報管理システムにおいて、前記商品情報記憶部はさらに、一取引分の商品情報を一意に特定する識別情報を記憶することを特徴とする。
【０００７】
また、本発明の販売時点情報管理システムにおいて、前記精算処理部はさらに、前記タッチパネルに表示させた登録商品情報の精算処理を保留させ、前記登録商品記憶部より、該登録商品情報とは異なる前記登録商品情報を呼び出し、呼び出した前記登録商品情報を前記タッチパネルに対して表示させ、表示させた前記登録商品情報に基づいて精算処理を行うことを特徴とする。
【０００８】
また、本発明は、前記精算処理部は、前記登録商品情報を、前記識別情報毎に画像または文字により表示し前記入力部は、前記精算処理部が表示した前記登録商品情報の選択を受け付けることを特徴とする販売時点情報管理システムである。
【０００９】
また、本発明の販売時点情報管理システムにおいて、前記精算処理部は、精算処理を行った前記登録商品情報の表示形態を変更することを特徴とする。
【００１０】
また、本発明の販売時点情報管理システムにおいて、前記精算端末は、前記精算処理部で精算処理を行われた前記登録商品情報について、前記タッチパネルで選択を受け付けるか否か設定する選択設定部とを更に備えることを特徴とする。
【００１１】
また、本発明は、携帯端末から送信された登録商品情報を受信する受信部と、前記受信部が受信した前記登録商品情報を記憶する登録商品記憶部と、表示部としてキーやデータを表示し、入力部としてキー入力を受け付けるタッチパネルと、前記登録商品記憶部が記憶する前記登録商品情報に対応付けられた、前記携帯端末を識別する携帯端末番号もしくは前記携帯端末を操作する作業者の作業者特定情報を前記タッチパネルに対して一取引毎に表示させ、前記タッチパネルで選択された登録商品情報に基づいて精算処理を行う精算処理部と、を備え、前記受信部および前記登録商品記憶部と、前記精算処理部とはお互い並行して動作することを特徴とする精算端末である。
【発明の効果】
【００１２】
請求項１によれば、携帯端末の送信部は、読み取った商品情報と識別情報とを登録商品情報として精算端末に送信し、精算端末は受信部で受信した登録商品情報を登録商品記憶部が記憶する。精算処理部は、登録商品記憶部が記憶する登録商品情報に基づいて精算処理を行うことができる。なお、受信部は、精算端末の他の処理が行われている間も、携帯端末から送信される登録商品情報を受信することができる。よって、効率よく顧客の登録商品情報を精算端末に登録することができ、登録商品情報の登録時間を短縮することができる。これにより、１台の精算端末で複数の顧客の精算処理を順次行うことができ、携帯端末からの登録商品情報の登録待ち時間を無くす事ができ、顧客の会計待ち時間を少なくすることができ、効率よく顧客対応を行うことができる。また、精算端末への手動登録作業および操作が無くなるので、精算端末への登録商品情報入力時の操作ミスおよび入力ミスがなくなるという効果も奏する。
【００１３】
また、請求項２によれば、精算端末に取り込んだ登録商品情報を、顧客の取引毎に表示することができる。よって複数顧客の登録商品情報を目視確認し選択することができる。これにより、店員は該当する顧客の登録商品情報の選択が容易となる。
【００１４】
また、請求項３によれば、表示部に表示させた前記登録商品情報の精算処理を保留させ、登録商品記憶部より表示させた登録商品情報とは異なる登録商品情報を呼び出し、呼び出した登録商品情報を表示部に対して表示させ、表示させた前記登録商品情報に基づいて精算処理を行うことができる。これにより、精算途中の顧客以外の顧客の精算処理を先に行うことができる。
【００１５】
また、請求項４によれば、精算端末へ取り込んだ顧客の取引ごとの登録商品情報を、識別情報に基づいて、アイコンなどの画像または文字で液晶タッチパネルなどに表示することが可能であり、その表示から登録商品情報を呼び出すことが可能である。よって、複数の顧客の登録商品情報が液晶タッチパネルなどに表示されていても、店員は担当する顧客の登録商品情報を容易に識別することができる。また、視認性が高まるため、間違えて登録商品情報を呼び出すことを防止できる。
【００１６】
また、請求項５によれば、精算端末の液晶タッチパネルなどに表示された顧客の取引ごとの登録商品情報のうち、精算処理が終了した登録商品情報の表示を、最初の表示色と違う色への変更や、影および輪郭を濃くしたり反転したりする表示、または表示部より登録商品情報の表示を削除する。このことにより、店員は会計済みの登録商品情報と、会計前の登録商品情報とを一目で判断することができ、担当する顧客の取引データの選択が容易になる。
【００１７】
また、請求項６によれば、精算端末の液晶タッチパネルなどに表示された顧客の取引ごとの登録商品情報のうち、精算処理が終了した登録商品情報を選択できないようにする。このことにより、精算済みの登録商品情報を選択し、呼び出すことが出来ないので、間違えた会計をすることが無くなる。
【００１８】
請求項７によれば、精算端末は受信部で受信した登録商品情報を記憶部が記憶する。精算処理部は、記憶部が記憶する登録商品情報に基づいて精算処理を行うことができる。なお、受信部は、精算端末の他の処理が行われている間も、携帯端末から送信される登録商品情報を受信することができる。また、精算端末へ取り込んだ顧客の取引ごとの登録商品情報を、識別情報に基づいて、各顧客の取引をアイコンなどの画像または文字で液晶タッチパネルなどに表示することが可能であり、その表示から登録商品情報を呼び出すことが可能である。また、精算端末の液晶タッチパネルなどに表示された顧客の取引ごとの登録商品情報のうち、精算処理が終了した登録商品情報の表示を削除する。このことにより、規模の小さな店舗が複数集まる売り場などで精算端末を使用する場合においても、複数顧客の登録商品情報を混在させることなく登録し、精算処理を行うことができるので、売り場内での精算端末の共用や顧客の買い回りへの対応などが可能であり、顧客の会計待ち時間を少なくすることができ、効率よく顧客対応を行うことができる。
【発明を実施するための最良の形態】
【００１９】
以下、図面を参照し、本発明の実施形態を説明する。図１は本発明の一実施形態によるＰＯＳシステム（販売時点情報管理システム）の構成を示した図である。ＰＯＳシステムは、携帯端末１と、精算端末２と、クレードル３とを含む。ＰＯＳシステムは、携帯端末を複数含むことも可能である。図示する例では、ＰＯＳシステムは、携帯端末１をｎ台含んでいる。クレードル３は、接続コネクタ４を介して精算端末２に接続している。また、携帯端末１は、クレードル３を介して精算端末と接続することが可能である。
【００２０】
携帯端末１は、顧客が購入する商品の注文データの入力を受けつけ、記憶する。精算端末２は、顧客が購入する商品の精算処理を行う。クレードル３は、携帯端末１が記憶する注文データを精算端末２に送信する際に、注文データの送信を中継する。
【００２１】
図２は本実施形態における携帯端末１の構成を示した構成図である。携帯端末１は、ＣＰＵ１１０と、ＲＯＭ１１１と、ＲＡＭ１１２と、スキャナ部１１３と、表示部１１４と、ＬＥＤ発行部１１５と、操作部１１６と、通信部１１７と、ブザー１１８と、電源制御部１１９と、充電式電池１２０とを備える。
【００２２】
ＣＰＵ１１０は、中央処理装置であり、ＲＯＭ１１１に記憶されているプログラムを読み出して実行することにより、携帯端末１の動作を制御する。ＲＯＭ１１１は、上記プログラムを記憶している読み出し専用メモリである。ＲＡＭ１１２は、スキャナ部１１３で読み取った商品のバーコードのデータなどを記憶する、随時読み出し書き込みメモリである。
【００２３】
スキャナ部１１３は、商品に付されているバーコードを読み取るためのものであり、読み取ったバーコードの情報を所定の形式のデータに変換して出力する。バーコードをスキャナ部１１３に近付けることにより、読み取り動作が行われる。バーコード読み取りが行われスキャナ部１１３から出力されたデータは、買い上げ商品を特定するデータとしてＲＡＭ１１２へ送られ、記憶される。
【００２４】
表示部１１４は、スキャナ部１１３によりバーコードを読み取った商品の個別の商品名や値段、読み取った全商品のリストや合計金額、買い上げ点数、その他各種のメッセージ（例えば、携帯端末１の使い方が分からない操作者のための使用方法案内表示）などを表示する。また、表示部１１４の上側中央部には、ＬＥＤ発光部１１５が設けられる。このＬＥＤ発光部１１５は、ＣＰＵ１１０が行う処理に応じて点灯する。
【００２５】
操作部１１６は、携帯端末１を操作する各種のキーからなり、バーコードの読み取りを開始するためのスキャンキー、バーコードを読み取った商品を１つずつ取り消したり数量を修正したりするための訂正キー、読み取った全商品を取り消すための取消キー、買い上げる商品の数量を指定するための＋（プラス）キー、−（マイナス）キー、読み取った全商品のリスト表示において商品を選択するカーソルを上下させるための上下矢印キー、入力操作を決定するための決定キーなどを有している。
【００２６】
通信部１１７は、クレードル３との間で行うデータ通信の制御を行う。具体的には、携帯端末１がクレードル３に接続された場合には、ＲＡＭ１１２に記憶された買い上げ商品のデータ（スキャナ部１１３により商品のバーコードから読み取ったデータ）を、クレードル３を介して精算端末２に送信する。なお、これらのデータ通信は、例えば、ＲＳ−２３２Ｃの通信プロトコルに従って行われる。
【００２７】
ブザー１１８は、ＣＰＵ１１０が行う処理に応じてブザー音を発生させる。電源制御部１１９は、携帯端末１が充電器に接続されている間に、充電器から供給される電力による充電式電池１２０への充電を制御する。充電式電池１２０は、携帯端末１の各部を動作させるための電力を供給する。
【００２８】
図３は本実施形態における精算端末２の構成を示した構成図である。精算端末２は、ＣＰＵ２００と、ＲＯＭ２１０と、ＲＡＭ２１１と、液晶タッチパネル２１２と、キー操作部２１３と、客用表示器２１４と、レシート印字部２１５と、ラベル印字部２１６と、ドロワ部２１７と、磁気カードリーダ２１８と、スキャナ２１９と、通信部２２０とを備える。
【００２９】
ＣＰＵ２００は、精算端末２の各部を制御する中央処理装置であり、ＲＯＭ２１０から所定のプログラムをロードして実行する。ＲＯＭ２１０は、ＣＰＵ２００が実行する各種プログラムを格納している記憶部である。
【００３０】
ＲＡＭ２１１は、ＣＰＵ２００が使用するデータを一時的に記憶する記憶部である。なお、ＣＰＵ２００で実行されるプログラムを記憶するようにしてもよい。
【００３１】
液晶タッチパネル２１２は、各種メニュー画面、ラベル発行や商品登録に必要なプリセットキー、登録した商品データ・精算データなどを表示するとともに、表示された各種のキーから入力を受け付ける。なお、この液晶タッチパネル２１２は店員側に向けて設置されており、店員により使用される。
【００３２】
キー操作部２１３は、商品登録と精算とラベル発行の処理において使用頻度の高いファンクションキーとテンキー、その他、クレジットカードや現金による精算を確定するためのクレジットキー、小計キー、現計キーなどが設けられている入力装置である。客用表示器２１４は、買上げ商品の商品名、買上げ価格、買上げ合計金額などを客に対して表示する表示装置であり、例えば液晶パネル等で構成される。
【００３３】
レシート印字部２１５は、客が買上げた商品の商品名、価格、買上げ合計金額、日付、時刻、店舗名などの登録・精算結果をレシートに印字する印字装置である。印字されたレシートは、レシート発行口から発行される。また、領収書などをこのレシート発行口より発行させてもよい。ラベル印字部２１６は、商品ファイルに設定されている商品の情報をラベルに印字する印字装置である。印字されたラベルは、ラベル発行口から発行され、発行されたラベルは、店員により販売する商品に貼付される。
【００３４】
ドロワ部２１７は、予備の紙幣、硬貨、その他商品券や売掛伝票を収納する金庫である。磁気カードリーダ２１８は、会員番号などの会員を特定するための情報が記録された会員カードや、客が買上げ商品の精算に用いるクレジットカード等の各種磁気カードから、所定の情報を読み取るための読取装置である。スキャナ２１９は、商品に貼り付けられた商品登録を行うためのバーコードを読み取る光学式読取装置である。通信部２２０は、クレードル３を介して携帯端末１と通信を行う。なお、携帯端末１が赤外線通信を可能とする場合は、クレードルを使用せず、赤外線通信を用いて携帯端末１と通信を行っても良い。
【００３５】
次に、携帯端末１の動作例について図４を参照して説明する。図４は、携帯端末１が商品情報を登録する手順を示したフローチャートである。
（ステップＳ１０）携帯端末１のＣＰＵ１１０は、ＲＡＭ１１２に記憶されている作業者番号と、ＲＡＭ１１２に記憶されているシリアル番号とに基づいて、取引識別情報を設定しＲＡＭ１１２に記憶させる。例えば、取引識別情報を６桁とし、上２桁を作業者番号に基づいて決定し、下４桁をシリアル番号に基づいて決定するとし、ＲＡＭ１１２が記憶する作業者番号を０１、シリアル番号を０００１とすると、取引識別情報は０１０００１となる。
【００３６】
また、ＣＰＵ１１０は、設定した取引識別情報を表示部１１４に表示する。作業者番号は、予め、携帯端末１の操作者による操作部１１６の操作によってＲＡＭ１１２に記憶されている。また、作業者番号がＲＡＭ１１２に記憶されていない場合は携帯端末番号を使用する。携帯端末番号は、携帯端末１を一意に特定することができる番号であり、予めＲＡＭ１１２に記憶されている。
【００３７】
また、図５に示すようなカードに印字された呼出バーコードをスキャナ部１１３が読み取り、ＣＰＵ１１０は、スキャナ部１１３が読み取ったバーコードを識別番号に変換してＲＡＭ１１２に記憶するように、店員が携帯端末１の操作を行ってもよい。図５に示す例では、カードには担当者コードと、担当者名と、呼出バーコードと、メッセージ印字部とがある。担当者コードは担当者名を一意に特定することができるコードである。担当者名は担当者の名前である。呼出バーコードは、担当者コードを表すバーコードである。メッセージ印字部は、任意にメッセージを印字することが可能な領域である。なお、図５に示すカードは、精算端末２のラベル印字部２１６より発行されたものを用いれば経済的であり、印字内容の変更にも即応出来る。
【００３８】
（ステップＳ１１）店員は、顧客が購入する商品に付されている商品情報バーコードを、携帯端末１のスキャナ部１１３に読み取らせる。
（ステップＳ１２）ＣＰＵ１１１は、スキャナ部１１３が読み取った商品情報バーコードを商品情報に変換する。ＣＰＵ１１１は、ステップＳ１０でＲＡＭ１１２に記憶した取引識別情報をＲＡＭ１１２から読み出し、変換した商品情報に取引識別情報を付加して買上情報を生成する。ＣＰＵ１１１は買上情報をＲＡＭ１１２に記憶させる。
【００３９】
図６は携帯端末１−１のＲＡＭ１１２に記憶される買上情報の例を示した図である。属性は、ＪＡＮ（Ｊａｐａｎｅｓｅ  Ａｒｔｉｃｌｅ  Ｎｕｍｂｅｒ）コードと、商品コードと、取引識別情報と、数量との４種類がある。ＪＡＮコードおよび商品コードは、商品を識別するコードであり、商品を一意に特定することができるコードである。取引識別情報は、ステップＳ１０でＣＰＵ１１０がＲＡＭ１１２に記憶した取引識別情報である。なお、取引識別情報は、携帯端末番号と各顧客との取引をユニークにするためのシリアル番号とで構成されており、各顧客との取引をユニークにする方法であれば他の手法を用いても良い。数量は、顧客が購入する数量である。図示する例では、ＪＡＮコードがＡＡＡＡであり、商品コードが０００００２であり、取引識別情報が０１０００１であり、数量が２である行と、ＪＡＮコードがＢＢＢＢであり、商品コードが０００００３であり、取引識別情報が０１０００１であり、数量が１である行と、ＪＡＮコードがＣＣＣＣであり、商品コードが０００００４であり、取引識別情報が０１０００１であり、数量が１である行と、ＪＡＮコードがＤＤＤＤであり、商品コードが００００１８であり、取引識別情報が０１０００１であり、数量が２である行とが含まれる。なお、取引識別情報の上二桁は担当者番号あるいは端末番号であり、下四桁はシリアル番号である。
【００４０】
（ステップＳ１３）店員は、顧客が購入する商品全てのバーコードの読み取りを完了すると、バーコードの読み取りに使用していた端末装置１をクレードル３に装着する。携帯端末１がクレードル３に装着されると、携帯端末１のＣＰＵ１１１は、顧客が購入する商品全てのバーコードの読み取りを完了したと判断し、ステップＳ１４に進む。それ以外の場合はステップＳ１１に戻る。
（ステップＳ１４）携帯端末１のＣＰＵ１１０は、通信部１１７を介して、ＲＡＭ１１２に記憶されている買上情報を精算端末２に送信する。送信完了後、ＣＰＵ１１０はＲＡＭ１１２が記憶する買上情報を削除する。削除後、ステップＳ１０に戻る。ステップＳ１０に戻る際に、ＣＰＵ１１０は、シリアル番号を一つ増加させる。
【００４１】
上述したとおり、ステップＳ１４で、ある顧客が購入する商品の買上情報を精算端末２に送信後ステップＳ１０に戻る。ステップＳ１０に戻る際に、ＣＰＵ１１０は、シリアル番号を一つ増加させる。ステップＳ１０では、当該シリアル番号に基づいて新たな顧客の取引で用いられる取引識別情報を生成する。ステップＳ１２で、新たな顧客が購入する商品の買上情報を、ステップＳ１０で生成した当該取引識別情報に基づいて生成することで、取引識別情報に基づいて、異なる顧客ごとに買上情報を認識することができる。また、作業者番号もしくは携帯端末番号に応じて取引識別番号も異なるため、取引識別情報に基づいて、異なる作業者もしくは異なる携帯端末ごとに買上情報を認識することができる。
【００４２】
例えば、図７は処理携帯端末１−１のＲＡＭ１１２に記憶される商品データの例を示した図である。属性は図６と同様である。図示する例では、ＪＡＮコードがＣＣＣＣであり、商品コードが０００００４であり、取引識別情報が０１０００２であり、数量が１である行が含まれる。図７に示される取引識別情報は０１０００２となり、図６に示される取引識別情報０１０００１とは下４桁が異なる。よって、図６に示した買上情報と、図７に示した買上情報とでは、購入する顧客が異なることがわかる。また、上２桁が同じであるため、図６に示した買上情報と、図７に示した買上情報とでは、買上情報を入力した店員または携帯端末は同一であることがわかる。
【００４３】
また、図８は処理携帯端末１−２のＲＡＭ１１２に記憶される商品データの例を示した図である。属性は図６と同様である。図示する例では、ＪＡＮコードがＡＡＡＡであり、商品コードが０００００２であり、取引識別情報が０２０００１であり、数量が１である行が含まれる。図８に示される取引識別情報は０２０００１となり、図６に示される取引識別情報０１０００１とは上２桁が異なるため、図６に示した買上情報と、図８に示した買上情報とでは、買上情報を入力した店員または携帯端末は異なることがわかる。
【００４４】
また、図９は処理携帯端末１−３のＲＡＭ１１２に記憶される商品データの例を示した図である。属性は図６と同様である。図示する例では、ＪＡＮコードがＥＥＥＥであり、商品コードが０００００１であり、取引識別情報が０３０００１であり、数量が１である行が含まれる。図９に示される取引識別情報は０３０００１となり、図６に示される取引識別情報０１０００１とは上２桁が異なるため、図６に示した買上情報と、図８に示した買上情報とでは、買上情報を入力した店員または携帯端末は異なることがわかる。
【００４５】
次に、精算端末２の動作例について図１０を参照して説明する。図１０は、精算端末２の処理手順を示したフローチャートである。ステップＳ２０からステップＳ２１の処理では、精算端末２は、携帯端末１から受信される買上データの受信手順を行う。ステップＳ２２からステップＳ３０の処理では、精算端末２は、携帯端末１から受信した買上データに基づいて、顧客の精算処理を行う。なお、ステップＳ２０からステップＳ２１の処理と、ステップＳ２２からステップＳ３０の処理は並列で行うことが可能である。
【００４６】
（ステップＳ２０）精算端末２のＣＰＵ２００は、通信部２２０に接続されているクレードル３に、携帯端末１が接続されているか判断する。ＣＰＵ２００が、クレードル３に携帯端末１が接続されていると判断した場合、ステップＳ２１に進み、それ以外の場合、ステップＳ２０に戻る。なお、ステップＳ２２からステップＳ３０の処理を行っている間も、ステップＳ２２からステップＳ３０の処理と並列にステップＳ２０の処理が行われる。
【００４７】
（ステップＳ２１）精算端末２のＣＰＵ２００は、通信部２２０を介して、携帯端末２から送信される買上情報を受信する。ＣＰＵ２００は、ＲＡＭ２１１が記憶する商品マスタの情報を読み出し、受信した買上情報に商品マスタの情報と取引番号とを付加してＲＡＭ２１１に取引データとして記憶させる。その後、ステップＳ２０に戻る。
【００４８】
買上情報に付加する取引番号は、受信した買上情報に含まれる取引識別情報ごとに異なる値とする。例えば、ＣＰＵ２００は、受信した買上情報に含まれる取引識別情報が、前回受信した買上情報に含まれる取引識別情報と異なると判断した場合、以前使用した取引番号と異なる値を取引番号として買上情報に付加する。また、買上情報に付加する商品マスタの情報は、受信した買上情報に含まれる商品コードに基づいて選択する。例えば、ＣＰＵ２００は、商品マスタから、受信した買上情報に含まれる商品コードと同一の商品コードの行を読み出し、読み出した行の商品名称および値段を買上情報に付加する。なお、買上情報に付加する商品マスタの情報は、受信した買上情報に含まれるＪＡＮコードに基づいて選択しても良い。
【００４９】
図１１は、精算端末２のＲＡＭ２１１が記憶する商品マスタを示した図である。属性は、ＪＡＮコードと、商品コードと、商品名称と、値段との４種類がある。商品名称は、商品の名前であり、ＪＡＮコードおよび商品コードから一意に決まる名称である。値段は商品名称に記載の商品の値段である。図示する例では、ＪＡＮコードがＥＥＥＥであり、商品コードが０００００１であり、商品名称がアンパンであり、値段が１００である行が含まれる。以下同様に、商品マスタに含まれる行の情報は図１１に示されるとおりである。
【００５０】
図１２は、精算端末２のＲＡＭ２１１が記憶する取引データを示した図である。属性は、取引番号と、ＪＡＮコードと、商品コードと、商品名称と、値段と、数量と、取引識別情報と、精算区分と、日付との９種類がある。日付は、携帯端末１から送信された買上情報を精算端末２が受信した日時である。図示する例では、日付は１４桁の数字で表され、１桁目から４桁目までは年を表し、５桁目と６桁目で月を表し、７桁目と８桁目で日を表し、９桁目と１０桁目で時を表し、１１桁目と１２桁目で分を表し、１３桁目と１４桁目で秒を表す。例えば、日付「２００７０４２４１０１１３０」は、２００７年４月２４日１０時１１分３０秒に携帯端末１から送信された買上情報を精算端末２が受信したことを示す。
【００５１】
精算区分は、数値で表され、ＲＡＭ２１１が記憶する精算区分説明表の積算区分の数値と対応付けられている。図示する例では、精算区分は０と１とがある。図１３は、精算区分説明表を示した図である。属性は、精算区分と、区分内容と、表示区分との３種類がある。精算区分は図１２の取引データの精算区分と対応付けられている。区分内容は、取引データが未精算もしくは精算済かを示す。表示区分は、数値で表され、ＲＡＭ２１１が記憶する表示区分表の表示区分の数値と対応付けられている。図１４は、表示区分表を示した図である。属性は、表示区分と、区分内容と、選択指定と、表示色とがある。表示区分は数値で表され、図１３の精算区分説明表と対応付けられている。区分内容は、取引データを液晶タッチパネル２１２に表示するか否か設定する。選択指定は、取引データを液晶タッチパネル２１２で選択することが可能か否か設定する。表示色は、取引データを液晶タッチパネル２１２に表示する際の色を設定する。
【００５２】
図１２、図１３、図１４より、本実施形態では、精算端末の取引データにおいて、精算区分が０の取引データは、未精算であり、液晶タッチパネル２１２に表示され、液晶タッチパネル２１２で選択することが可能であり、液晶タッチパネル２１２に表示される色は黒である。精算端末の取引データにおいて、精算区分が１の取引データは、精算済であり、液晶タッチパネル２１２に表示され、液晶タッチパネル２１２で選択することが不可能であり、液晶タッチパネル２１２に表示される色はグレー反転である。
【００５３】
（ステップＳ２２）
ＣＰＵ２００は、登録された時間が一番古い未精算の取引データをＲＡＭ２１１から読み出し、読み出した取引データに基づいて買上合計金額を算出する。なお、ステップＳ２４から戻ってきた場合は、ステップＳ２４で選択された取引データをＲＡＭ２１１から読み出し、読み出した取引データに基づいて買上合計金額を算出する。また、ステップＳ２５で右△が押されてステップＳ２５から戻ってきた場合、精算処理を保留した取引データの次に登録された時間が新しい取引データをＲＡＭ２１１から読み出し、読み出した取引データに基づいて買上合計金額を算出する。また、ステップＳ２５で左△が押されてステップＳ２５から戻ってきた場合、精算処理を保留した取引データをＲＡＭ２１１から読み出し表示する。更にステップＳ２５で左△が押されステップＳ２５から戻ってきた場合、精算処理を保留した取引データの次に登録された時間が古い未精算の取引データをＲＡＭ２１１から読み出し、読み出した取引データに基づいて買上合計金額を算出する。なお、未精算の取引データが無い場合は、ステップＳ２５で左△が押されても、登録された時間の古い取引データをＲＡＭ２１１から読み出さない。
【００５４】
また、ＣＰＵ２００は、読み出した取引データと、算出した買上合計金額とを液晶タッチパネル２１２に表示する。
【００５５】
図１５は、液晶タッチパネル２１２に表示される、取引データと買上合計金額との例を示した図である。図示する例では、商品情報は、商品コードが０００００２であり、商品名称がパンドミーであり、数量が２個であり、値段が１５０円であり、小計が３００円である商品情報と、商品コードが０００００３であり、商品名称がカツサンドであり、数量が１個であり、値段が１５０円であり、小計が１５０円である商品情報と、商品コードが０００００４であり、商品名称がエビカツサンドであり、数量が１個であり、値段が１８０円であり、小計が１８０円である商品情報と、商品コードが００００１８であり、商品名称がフランスパンであり、数量が２個であり、値段が３００円であり、小計が６００円である商品情報とが表示されている。また、表示されている商品情報の小計を合計した小計１２３０円と、税額６１円と、小計と税額を合わせた合計１２９１円とが表示されている。また、図示する例では、画面下に「切替」ボタンと、「スキップ」ボタンとが配置されている。切替ボタンは、ステップＳ２１でＲＡＭ２１１に記憶された精算端末の取引データの取引識別情報に基づいて、端末番号およびシリアル番号毎に取引データを表示する画面に切り替えるボタンである。スキップボタンは「右△」ボタンおよび「左△」ボタンとを備えており、現在精算処理を行っている顧客の取引データを一旦保留にして、他の顧客の精算処理を指示するボタンである。
【００５６】
（ステップＳ２３）
ＣＰＵ２００は、液晶タッチパネル２１２に表示される切替ボタンを店員に選択されたことを認識するとステップＳ２４に進む。それ以外はステップＳ２５に進む。
【００５７】
（ステップＳ２４）ステップＳ２１でＲＡＭ２１１に記憶された精算端末の取引データの取引識別情報に基づいて、ＣＰＵ２００は液晶タッチパネル２１２に端末番号およびシリアル番号毎に取引データを表示する。なお、取引識別情報（６桁）は精算端末番号（２桁）とシリアル番号（４桁）の組み合わせである。
【００５８】
店員は、表示されている取引データのうち精算処理を行う取引データを、タッチパネル２１２を用いて選択する。ＣＰＵ２００は、取引データを店員に選択されたことを認識するとステップＳ２２に戻る。
【００５９】
図１６は、液晶タッチパネル２１２に表示される取引データの例を示した図である。図示する例では、「端末０１、２００７／０４／２５、１０：１１：３０、済、０００１」と、「端末０１、２００７／０４／２５、１０：１３：５５、未、０００２」と、「端末０２、２００７／０４／２５、１０：１２：２９、未、０００１」と、「端末０３、２００７／０４／２５、１０：１３：１０、未、０００１」との４つの取引データが表示されている。例えば、「端末０１、２００７／０４／２５、１０：１１：３０、済、０００１」は、端末０１から２００７年４月２５日１０時１１分３０秒に受信し、精算は済んでおり、シリアル番号は０００１であることを示す。
【００６０】
また、「端末０１、２００７／０４／２５、１０：１１：３０、済、０００１」はグレー反転で表示されており、液晶タッチパネル２１２で選択することが出来なくなっている。他の３つは黒で表示されており、液晶タッチパネル２１２で選択し、精算処理に進むことが可能である。
【００６１】
（ステップＳ２５）
ＣＰＵ２００は、液晶タッチパネル２１２に表示されるスキップボタンが備える「右△」ボタンまたは「左△」ボタンを店員に選択されたことを認識すると、現在精算処理を行っている顧客の取引データを一旦保留にして、他の顧客の精算処理を行うため、ステップＳ２２に戻る。それ以外はステップＳ２６に進む。
【００６２】
（ステップＳ２６）店員は、キー操作部１２３を操作し、顧客から受け取った金額を入力する。ＣＰＵ２００は、入力された金額をＲＡＭ２１１に記憶させる。また、ＣＰＵ２００は、入力された金額を液晶タッチパネル２１２に表示する。
【００６３】
（ステップＳ２７）店員は、液晶タッチパネル２１２に表示された金額を確認し、間違いがなければキー操作部２１３の現計キーを押す。間違いがあれば、キー操作部２１３の取り消しキーを押す。ＣＰＵ２００は、現計キーが押されたと判断した場合、ステップＳ２８に進み、取り消しキーが押されたと判断した場合、ステップＳ２６に戻る。
【００６４】
（ステップＳ２８）ＣＰＵ２００は、ステップＳ２２で算出した合計金額と、ステップＳ２６で入力された金額に基づいてつり銭の計算を行い、計算結果を会計データとしてＲＡＭ２１１に記憶させる。また、ＣＰＵ２００は、ＲＡＭ２１１に記憶させた会計データを液晶タッチパネル２１２に表示させる。
【００６５】
（ステップＳ２９）ＣＰＵ２００は、ステップＳ２８でＲＡＭ２１１に記憶させた会計データに基づいて、レシート発行部２１５にレシートを発行させる。また、ここでラベル印字部２１６にラベルを発行させてもよい。
【００６６】
（ステップＳ３０）ＣＰＵ２００は、取引データの精算区分を０から１に変更する。取引データの精算区分が０から１に変更されるため、取引データの表示属性として、表示色はグレーとなり、選択不可となる。変更後ステップＳ２２に戻る。
【００６７】
上述したとおり、本実施形態によれば、一人の店員が精算端末を使用している間（ステップＳ２２からステップＳ３０の処理）においても、他の店員が当該精算端末に顧客の注文情報を登録すること（ステップＳ２０からステップＳ２１の処理）が可能であり、顧客の注文を効率的に処理することができる。
【００６８】
また、取引識別情報を作業者番号（２桁）とシリアル番号（４桁）との組み合わせとしてもよい。このとき、作業者番号と作業者名とを関連付ける表として、作業者ファイルを予めＲＡＭ２１１に記憶させておく。図１７は作業者ファイルを示した図である。作業者ファイルは属性として、作業者番号と、作業者名との２つの属性がある。作業者番号は、作業者名を一意に決定することが出来る番号である。図示する例では５行あって、作業者番号０１の作業者名は○○○さんであり、作業者番号０２の作業者名は×××さんであり、作業者番号０３の作業者名は□□□さんであり、作業者番号０４の作業者名は△△△さんであり、作業者番号０１の作業者名は◎◎◎さんである。
【００６９】
また、ステップＳ２４で、ＣＰＵ２００は液晶タッチパネル２１２に、端末番号およびシリアル番号毎に取引データを表示したが、作業者名およびシリアル番号ごとに取引データを表示してもよい。例えば、ステップＳ２１でＲＡＭ２１１に記憶された精算端末の取引データと、作業者ファイルとに基づいて、ＣＰＵ２００は液晶タッチパネル２１２に作業者名およびシリアル番号毎に取引データを表示する。
【００７０】
図１８は、作業者名およびシリアル番号ごとに、取引データを表示した例を示した図である。図示する例では、「０１：○○○さん、２００７／０４／２５、１０：１１：３０、済、０００１」と、「０１：○○○さん、２００７／０４／２５、１０：１３：５５、未、０００２」と、「０２：×××さん、２００７／０４／２５、１０：１２：２９、未、０００１」と、「０３：□□□さん、２００７／０４／２５、１０：１３：１０、未、０００１」との４つの取引データが表示されている。例えば、「０１：○○○さん、２００７／０４／２５、１０：１１：３０、済、０００１」は、作業者名○○○さんが入力した端末から２００７年４月２５日１０時１１分３０秒に受信し、精算は済んでおり、シリアル番号は０００１であることを示す。
【００７１】
また、「０１：○○○さん、２００７／０４／２５、１０：１１：３０、済、０００１」はグレー反転で表示されており、液晶タッチパネル２１２で選択することが出来なくなっている。他の３つは黒で表示されており、液晶タッチパネル２１２で選択し、精算処理に進むことが可能である。
【００７２】
また、ステップＳ２４で、ＣＰＵ２００は液晶タッチパネル２１２に、端末番号およびシリアル番号毎に取引データを表示したが、作業者毎に表示する領域が決まっており、登録の古い順に表示するようにしてもよい。
【００７３】
図１９は、作業者毎に取引データの表示領域が決まっているときの、取引データの表示例を示した図である。図示する例では、作業者Ａさんの入力した取引データは液晶タッチパネル２１２の左上に表示される。作業者Ｂさんの入力した取引データは液晶タッチパネル２１２の右上に表示される。作業者Ｃさんが入力した取引データは液晶タッチパネル２１２の左下に表示される。作業者Ｄさんが入力した取引データは液晶タッチパネル２１２の右下に表示される。各作業者が複数の取引データを入力した場合は、入力時間の古い順に、上から重ね合わせて表示される。また、各作業者の表示領域の左側に表示される矢印キーを選択することで、一番上に表示される取引データを入れ替えることができる。また、図示する例ではＡさん、Ｂさん、Ｃさん、Ｄさんのみの表示であるが、液晶タッチパネル２１２の右上に表示される「次」を選択することで、Ａさん、Ｂさん、Ｃさん、Ｄさんの表示と同様に、他の作業者の領域を表示することも可能である。
【００７４】
以上、この発明の実施形態について図面を参照して詳述してきたが、具体的な構成はこの実施形態に限られるものではなく、この発明の要旨を逸脱しない範囲の設計等も含まれる。たとえば、精算端末に表示された商品情報を取り消す場合は、精算端末側で取り消し処理を行ってもよく、また、携帯端末側で取り消し情報を入力し、精算端末へ取り込んで取り消し処理を行ってもよい。
【００７５】
また、携帯端末１から買上情報を受信するためのクレードルを備えたストアコントローラを設けてもよい。このとき、ストアコントローラは複数の精算端末２に接続されてもよい。また、携帯端末１はストアコントローラに対して買上情報を送信し、精算端末２は、ストアコントローラから買上情報を取得し、精算処理（ステップＳ２２からステップＳ３０の処理）を行うとしてもよい。
【００７６】
また、本実施形態では、精算端末２は、クレードル３を介して携帯端末１の買上情報を受信しているが、携帯端末１および精算端末２それぞれに無線通信装置を備え、携帯端末１は、無線通信を用いて、精算端末２に買上情報を送信しても良い。
【００７７】
また、本実施形態では、精算端末２は、クレードル３を介して携帯端末１の買上情報を受信しているが、携帯端末１および精算端末２それぞれにメモリカード等の記録媒体読み書き装置を備え、携帯端末１は、挿脱可能な記録媒体を介して、精算端末２に買上情報を送信してもよい。
【００７８】
また、本実施形態では、店員が携帯端末１の操作を行っているが、顧客が携帯端末１の操作を行ってもよい。
【００７９】
また、取引識別情報は、顧客が注文する際にユニークな番号札を顧客に手渡し、この番号を携帯端末１に入力したものでも良い。
【００８０】
また、精算端末２は、取引毎に登録商品情報を記憶し、それを記憶した順に呼び出して精算できるようにしても良い。この場合、取引識別情報を不要にできる。
【００８１】
また、同一の顧客が携帯端末１により複数回の取引データを精算端末２に取り込んでしまった場合、取引データの取引番号を直近の未精算の取引番号に揃えることにより、複数の取引データを１つの取引データとして扱うようにしても良い。
【００８２】
また、携帯端末１から受信した識別情報を用いて、精算端末２の液晶タッチパネル２１２へ各顧客毎の取引を表示させているが、前記精算端末２のＲＡＭ２１１へ各顧客毎の登録商品情報を記憶させる際に、図１２に記載されている取引番号を付加しており、この取引番号は識別情報と同様に各顧客毎の取引データを一意に特定する情報となっているので、識別情報と取引番号とを切り替えて精算端末２の液晶タッチパネル２１２へ各顧客毎の取引を表示させてもよい。但し、この取引番号が他の取引番号と合わされ変更されて、他の取引データと合わさって精算処理が行われたとしても、前記識別情報及び取引明細データは保持されているので追跡調査を行うのが容易である。
【００８３】
また、精算端末２のラベル印字部２１６は、店舗で販売する商品へ貼付するラベルを印字することが主な役割であるが、ラベル以外の印刷媒体であるカード（図５）等の印字を行うことも出来る。また、図５以外の一例として、各顧客へ配布し携帯する顧客カードの発行も行うことができ、該顧客カードへ顧客を識別する情報をコード化したコード情報を印字することが出来るので、発行配布された顧客カードを商品購入前に顧客から提示してもらい、店員が携帯端末１のスキャナ部１１３を用いてカードに印字されたコード情報を読み取らせ顧客識別情報として用いても良い。
【図面の簡単な説明】
【００８４】
【図１】本発明の一実施形態によるＰＯＳシステムの構成を示した構成図である。
【図２】本実施形態における携帯端末の構成を示した構成図である。
【図３】本実施形態における精算端末の構成を示した構成図である。
【図４】本実施形態における携帯端末が商品情報を登録する手順を示したフローチャートである。
【図５】本実施形態における呼び出しバーコードを印字したカードを示した図である。
【図６】本実施形態における携帯端末のＲＡＭに記憶される買上情報の例を示した図である。
【図７】本実施形態におけるに処理携帯端末のＲＡＭに記憶される商品データの例を示した図である。
【図８】本実施形態における処理携帯端末のＲＡＭに記憶される商品データの例を示した図である。
【図９】本実施形態における処理携帯端末のＲＡＭに記憶される商品データの例を示した図である。
【図１０】本実施形態における精算端末の処理手順を示したフローチャートである。
【図１１】本実施形態における精算端末のＲＡＭが記憶する商品マスタを示した図である。
【図１２】本実施形態における精算端末のＲＡＭが記憶する取引データを示した図である。
【図１３】本実施形態における精算区分説明表を示した図である。
【図１４】本実施形態における表示区分表を示した図である。
【図１５】本実施形態における液晶タッチパネル２１２に表示される、取引データと買上合計金額との例を示した図である。
【図１６】本実施形態における液晶タッチパネルに表示される取引データの例を示した図である。
【図１７】本実施形態における作業者ファイルを示した図である。
【図１８】本実施形態における作業者名およびシリアル番号ごとに取引データを表示した例を示した図である。
【図１９】本実施形態における作業者毎に取引データの表示領域が決まっているときの取引データの表示例を示した図である。
【符号の説明】
【００８５】
１・・・携帯端末、２・・・精算端末、３・・・クレードル、４・・・接続コネクタ、１１０，２００・・・ＣＰＵ、１１１，２１０・・・ＲＯＭ、１１２，２１１・・・ＲＡＭ、１１３，２１９・・・スキャナ部、１１４・・・表示部、１１５・・・ＬＥＤ発光部、１１６・・・操作部、１１７，２２０・・・通信部、１１８・・・ブザー、１１９・・・電源制御部、１２０・・・充電式電池、２１２・・・液晶タッチパネル、２１３・・・キー操作部、２１４・・・客用表示器、２１５・・・レシート印字部、２１６・・・ラベル印字部、２１７・・・ドロワ部、２１８・・・磁気カードリーダ
【図１】
0005326252.tif 000002
【図２】
0005326252.tif 000003
【図３】
0005326252.tif 000004
【図４】
0005326252.tif 000005
【図５】
0005326252.tif 000006
【図６】
0005326252.tif 000007
【図７】
0005326252.tif 000008
【図８】
0005326252.tif 000009
【図９】
0005326252.tif 000010
【図１０】
0005326252.tif 000011
【図１１】
0005326252.tif 000012
【図１２】
0005326252.tif 000013
【図１３】
0005326252.tif 000014
【図１４】
0005326252.tif 000015
【図１５】
0005326252.tif 000016
【図１６】
0005326252.tif 000017
【図１７】
0005326252.tif 000018
【図１８】
0005326252.tif 000019
【図１９】
0005326252.tif 000020